(57)【特許請求の範囲】
【請求項１】
外周部分に施工された布基礎と、この布基礎の内方に盛り上げられる盛土上に前記布基礎の天端面とその上面とがほぼ同じ高さとなるように施工される土間床とを有する建物の前記布基礎の立ち上がり部の外側面に密着した断熱材の内部を白アリが通過して軸組及び床組へ侵入するのを物理的に防止する建物の防蟻構造であって、
前記断熱材の下面に、前記白アリの分泌物に耐性の耐腐食性材料で構成されかつ複数のアンカー孔を有するシート材を介して更に断熱材を取付けたことを特徴とする建物の防蟻構造。
【請求項２】
前記シート材の内方側の縁部を前記立ち上がり部に埋設したことを特徴とする請求項１記載の建物の防蟻構造。
【請求項３】
外周部分に施工された布基礎と、この布基礎の内方に盛り上げられる盛土上に前記布基礎の天端面とその上面とがほぼ同じ高さとなるように施工される土間床とを有する建物の前記布基礎の立ち上がり部の内側面に密着した断熱材の内部を白アリが通過して軸組及び床組へ侵入するのを物理的に防止する建物の防蟻構造であって、
前記断熱材の下面に、前記白アリの分泌物に耐性の耐腐食性材料で構成されかつ複数のアンカー孔を有するシート材を介して更に断熱材を取付けたことを特徴とする建物の防蟻構造。
【請求項４】
前記シート材が前記土間床の下面より高い位置にあることを特徴とする請求項３記載の建物の防蟻構造。
【請求項５】
前記シート材の外方側の縁部を前記立ち上がり部に埋設したことを特徴とする請求項３又は４記載の建物の防蟻構造。
【請求項６】
前記シート材の内方側の縁部を前記土間床に埋設したことを特徴とする請求項４又は５記載の建物の防蟻構造。
【請求項７】
建物の基礎スラブの外側面に密着した断熱材の内部を白アリが通過して、前記基礎スラブ上に設置された軸組及び床組へ侵入するのを物理的に防止する建物の防蟻構造であって、
前記断熱材の下面に、前記白アリの分泌物に耐性の耐腐食性材料で構成されかつ複数のアンカー孔を有するシート材を介して更に断熱材を取付けたことを特徴とする建物の防蟻構造。
【請求項８】
前記シート材の内方側の縁部を前記基礎スラブに埋設したことを特徴とする請求項７記載の建物の防蟻構造。
【請求項９】
前記シート材が地盤面より高い位置にあることを特徴とする請求項１、２、７、又は８記載の建物の防蟻構造。
【請求項１０】
前記シート材の２つの縁部の少なくとも一方の縁部を前記上下２段の断熱材のいずれか一方の断熱材の側面に取付けたことを特徴とする請求項１、３、４、７、又は９記載の建物の防蟻構造。
【請求項１１】
前記シート材が可撓性を有することを特徴とする請求項１乃至１０のいずれか記載の建物の防蟻構造。
【請求項１２】
前記シート材が、少なくともいずれかの方向において前記白アリの頭部横断面の最大寸法の２倍以下の寸法である複数のアンカー孔を有することを特徴とする請求項１乃至１１のいずれか記載の建物の防蟻構造。
【請求項１３】
前記シート材が、少なくともいずれかの方向において前記白アリの頭部横断面の最大寸法の３倍以下の寸法である複数のアンカー孔を有すると共に、このシート材に、少なくともセメントと細骨材とを含有する表面材を塗布したことを特徴とする請求項１乃至１１のいずれか記載の建物の防蟻構造。
【発明の詳細な説明】
【０００１】
【発明の属する技術分野】
この発明は、床下空間を有しない建物の断熱基礎に使用される断熱材の内部を白アリが通過して軸組や床組へ侵入するのを物理的に防止する建物の防蟻構造に関する。
【０００２】
【従来の技術】
建物における従来の白アリ防除技術としては、例えば、(1) 建物の床下の地盤（土壌）と、地面から１ｍ以内の木部とを薬剤で処理する方法や、(2) 白アリの活動をモニタリングしながら、侵入してきた白アリに少量の薬剤を含む毒餌を摂食させて根絶するベイト工法（レスケミカル法）等が知られている。
【０００３】
しかしながら、上記のような従来例(1) においては、薬剤に起因する化学物質過敏症等の問題があり、即ち、建物内の環境が化学物質によって汚染されるという問題点がある。
【０００４】
また、従来例(2) においては、白アリに毒餌を摂食させ、コロニー全体の活力を衰退させることを目的とするので、その開始から終了までに少なくとも数カ月〜２年程度の長期間を要するという問題点がある。
【０００５】
そこで、これらの問題が発生しないように、(3) 薬剤を全く使用しない、ステンレスメッシュや破砕石等の物理的なバリアーを構築する物理的工法（ケミカルフリー法）等が提案されている。この物理的工法に使用されるバリアー材としては、例えば、特許第２６５２９０２号公報及び特表平８−５０６８６８号公報に開示されているように、白アリの分泌物に耐性で且つ少なくとも約７０のショア硬度を有する耐腐食性材料の編み目シートからなり、この編み目の孔がいずれの方向においても制御すべき白アリ種の頭部横断面の最大寸法より小径である白アリバリアー材等がある。
【０００６】
【発明が解決しようとする課題】
しかしながら、上記のような従来例(3) においては、断熱基礎等に使用される断熱材の内部を白アリが通過するのを防止することについては開示されていない。
【０００７】
この発明は、以上のような問題点に鑑みてなされたものであり、断熱基礎に使用される断熱材の内部を白アリが通過して軸組や床組へ侵入するのを物理的に防止できる建物の防蟻構造を提供することを目的とする。
【０００８】
【課題を解決するための手段】
上記目的を達成するための手段とするところは、第１に、外周部分に施工された布基礎と、この布基礎の内方に盛り上げられる盛土上に前記布基礎の天端面とその上面とがほぼ同じ高さとなるように施工される土間床とを有する建物の前記布基礎の立ち上がり部の外側面に密着した断熱材の内部を白アリが通過して軸組及び床組へ侵入するのを物理的に防止する建物の防蟻構造であって、前記断熱材の下面に、前記白アリの分泌物に耐性の耐腐食性材料で構成されかつ複数のアンカー孔を有するシート材を介して更に断熱材を取付けたことにある。
【０００９】
第２に、前記シート材の内方側の縁部を前記立ち上がり部に埋設したことにある。
【００１０】
第３に、外周部分に施工された布基礎と、この布基礎の内方に盛り上げられる盛土上に前記布基礎の天端面とその上面とがほぼ同じ高さとなるように施工される土間床とを有する建物の前記布基礎の立ち上がり部の内側面に密着した断熱材の内部を白アリが通過して軸組及び床組へ侵入するのを物理的に防止する建物の防蟻構造であって、前記断熱材の下面に、前記白アリの分泌物に耐性の耐腐食性材料で構成されかつ複数のアンカー孔を有するシート材を介して更に断熱材を取付けたことにある。
【００１１】
第４に、前記シート材が前記土間床の下面より高い位置にあることにある。
【００１２】
第５に、前記シート材の外方側の縁部を前記立ち上がり部に埋設したことにある。
【００１３】
第６に、前記シート材の内方側の縁部を前記土間床に埋設したことにある。
【００１４】
第７に、建物の基礎スラブの外側面に密着した断熱材の内部を白アリが通過して、前記基礎スラブ上に設置された軸組及び床組へ侵入するのを物理的に防止する建物の防蟻構造であって、前記断熱材の下面に、前記白アリの分泌物に耐性の耐腐食性材料で構成されかつ複数のアンカー孔を有するシート材を介して更に断熱材を取付けたことにある。
【００１５】
第８に、前記シート材の内方側の縁部を前記基礎スラブに埋設したことにある。
【００１６】
第９に、前記シート材が地盤面より高い位置にあることにある。
【００１７】
第１０に、前記シート材の２つの縁部の少なくとも一方の縁部を前記上下２段の断熱材のいずれか一方の断熱材の側面に取付けたことにある。
【００１８】
第１１に、前記シート材が可撓性を有することにある。
【００１９】
第１２に、前記シート材が、少なくともいずれかの方向において前記白アリの頭部横断面の最大寸法の２倍以下の寸法である複数のアンカー孔を有することにある。
第１３に、前記シート材が、少なくともいずれかの方向において前記白アリの頭部横断面の最大寸法の３倍以下の寸法である複数のアンカー孔を有すると共に、このシート材に、少なくともセメントと細骨材とを含有する表面材を塗布したことにある。
【００２０】
【発明の実施の形態】
以下、この発明の実施形態を図面に基づいて説明する。
図１乃至図４に示すように、第１実施形態に係る建物Ａの防蟻構造は、例えば、外周部分に施工された布基礎１と盛土２上に施工される土間床３とを有する床下空間のない建物Ａの前記布基礎１の立ち上がり部４の外側面４ａに密着した断熱材５の内部を白アリ６が通過して軸組Ｂ及び床組Ｃへ侵入するのを物理的に防止するものであって、前記断熱材５の下面５ｄに、前記白アリ６の分泌物に耐性の耐腐食性材料で構成された例えばステンレスメッシュ（シート材）７を介して更に断熱材８を取付けると共に、前記ステンレスメッシュ７の２つの縁部７ａ，７ｂを下段の断熱材８の外側面８ａと内側面８ｂにそれぞれ取付けたものである。
【００２１】
前記布基礎１は、建物Ａの外周部分に平面視で例えば矩形状等に施工され、図１及び図２に示すように、立ち上がり部４とベース部９とから横断面が例えば逆Ｔ字状に形成されている。なお、布基礎１の内方には、この実施形態のような間仕切基礎等の布基礎１０と共に又は布基礎１０に代えて、独立基礎等を設けておいてもよい。
【００２２】
前記土間床３は、布基礎１の内方に周囲の地盤面１１ａより高く盛り上げられた盛土２上に、布基礎１の天端面１ｃとその上面３ｃとがほぼ同じ高さとなるように施工されている。なお、盛土２上には、この実施形態のような目つぶし砂利１２に代えて又は目つぶし砂利１２と共に、防湿フィルムや断熱材等を敷設しておいてもよい。
【００２３】
前記断熱材５，８は、例えば合成樹脂発泡体等から構成され、前記立ち上がり部４の外側面４ａに前記ステンレスメッシュ７を介して上下２段となるように密着している。上段の断熱材５は、下段の断熱材８にステンレスメッシュ７を例えば釘、ビス、ステープル等の止着部材や接着剤、あるいは熱溶着等によってあらかじめ取付けるか又は建築現場で取付けた後、このステンレスメッシュ７の上から接着剤や接着セメント等で取付けてもよいし、あるいはこれら上下２段の断熱材５，８の間にあらかじめステンレスメッシュ７を埋設等して形成した一体化物を前記立ち上がり部４の外側面４ａ等に密着するようにしてもよい。また、上段の断熱材５にステンレスメッシュ７をあらかじめ取付けておいてもよい。
【００２４】
なお、これら断熱材５，８は、布基礎１を施工してから立ち上がり部４に接着等してもよいし、あるいは上記の一体化物を使用する場合にはこの一体化物を配置してから立ち上がり部４等を打設してもよい。また、この実施形態においては、上下２段の断熱材５，８を立ち上がり部４とほぼ同じ高さとなるように密着させているが、これに限定されるものではなく、断熱材５，８の高さや取付け位置等は必要に応じて適宜変更可能である。更に、ステンレスメッシュ７等を釘等の止着部材で取付ける場合には、必要に応じてこの止着部材を例えば銅、亜鉛、黄銅等で構成したり、あるいは含有させたりして、白アリ忌避効果を発揮させるようにしておいてもよい。
【００２５】
前記白アリ６とは、ゴキブリに近縁の社会生活をする不完全変態の昆虫であって、シロアリ目（等翅類）Isopteraの総称である。このような白アリ６としては、例えば、ヤマトシロアリやイエシロアリ等の各種の白アリが挙げられる。また、この白アリ６は、図３に示すように、非変形性の堅い頭部６ａを有する一方、比較的柔らかくて弱い体部６ｂを有している。
【００２６】
前記ステンレスメッシュ７は、図４に示すように、白アリ６の分泌物に耐性で且つ少なくとも約７０のショア硬度を有する耐腐食性材料であるステンレス鋼ワイヤー７ｃ等から製織されて複数の編み目（アンカー孔）１３を有している。このようなステンレスメッシュ７としては、例えば、「ターミーメッシュ（ＴＥＲＭＩ−ＭＥＳＨ）」（商品名、ターミーメッシュ・オーストラリア社製）等を好適に使用することができる。
【００２７】
なお、白アリバリアー材として使用されるシート材としては、このようなステンレスメッシュ７に限定されるものではなく、白アリ６から放出されるギ酸等の分泌物に耐性で且つ白アリ６が噛み砕くことができない硬さ、好ましくは少なくとも約７０のショア硬度を有すると共に、使用環境下で数十年の耐用年数を有する耐腐食性材料で構成されていれば、種々のものを使用することができる。このようなシート材としては、例えば、セラミックス、ガラス、合成樹脂等の繊維、フィラメント、ストランド等から製織又は製編等されたシートや不織布、あるいは金属板、金属シート等が挙げられる。
【００２８】
ここで、シート材がステンレスメッシュ７等のように可撓性を有する場合には、建築現場での賦形等が可能であるので、シート材を建築現場で取付ける際の施工が簡単であるという利点がある。なお、可撓性を有しない場合には、工場生産等により、シート材を取付けようとする箇所の形状に合わせてあらかじめ適宜の形状に製造しておけばよい。
【００２９】
また、シート材が前記編み目１３等の複数のアンカー孔を有する場合には、上下２段の断熱材５，８の間にシート材を介在させる際や、あるいはいずれか一方の断熱材５（８）にあらかじめシート材を接着又は熱溶着等しておく際に、アンカー効果により、シート材を介在させた上下２段の断熱材５，８同士又は断熱材５，８とシート材とをより強固に一体化できるという利点がある。なお、複数のアンカー孔を有するシート材としては、前記ステンレスメッシュ７の他、例えばアンカー孔を打ち抜いて形成したパンチングメタル等が挙げられる。
【００３０】
この場合、アンカー孔の寸法が、少なくともいずれかの方向において前記白アリ６の頭部６ａの横断面の最大寸法Ｈの２倍以下である時には、白アリ６の頭部６ａが通り抜けないか又は頭部６ａが通り抜けても柔らかい体部６ｂ等がアンカー孔に接触するような寸法であり、白アリ６がそれを嫌うので、白アリ６がシート材を通り抜けるのを阻止することができる。また、アンカー孔の寸法を比較的大きくできるので、シート材の材料コストを低減化できると共に、寸法精度も低くてよいために製造も簡単であるという利点がある。
【００３１】
なお、前記最大寸法Ｈは、例えばイエシロアリの職蟻で１．１〜１．２５ｍｍ程度、ヤマトシロアリの職蟻で１．０〜１．２ｍｍ程度であるので、ヤマトシロアリが生息する地域では、アンカー孔の寸法を少なくともいずれかの方向において２．４ｍｍ程度以下としておくのが望ましい。このアンカー孔の形状は特に限定されるものではなく、矩形状や円状等の適宜の形状とすることができる。要するに、アンカー孔の寸法が、いずれか一方向、あるいは２以上の方向において２Ｈ以下であればよい。
【００３２】
ここで、シート材がステンレスメッシュ７等のメッシュ状部材である場合には、その繊維、フィラメント、又はストランド等の数を少なくできるので、コストダウンをより効果的に図ることができるという利点がある。
【００３３】
また、アンカー孔の寸法が２Ｈを超えるが３Ｈ以下である場合には、シート材に、少なくともセメントと細骨材とを含有する例えばモルタルや接着セメント等の表面材を塗布しておけば、前記細骨材等により白アリ６の通り抜けを阻止することができる。アンカー孔の寸法が３Ｈを超える場合には、表面材を塗布しておいても白アリ６が通り抜ける可能性があるので好ましくない。なお、２Ｈ以下の場合でも、表面材を塗布しておいても差し支えない。
【００３４】
前記表面材には、強度、耐クラック性、接着性、水密性、耐摩耗性等を向上させるために、前記接着セメントに含有されるセメント接着剤等のポリマーを添加しておくのが望ましく、また、必要に応じて例えば亜鉛や銅、あるいは亜鉛化合物や銅化合物等の白アリ忌避剤を添加しておいてもよい。この表面材は、断熱材５，８にシート材を接着又は熱溶着等してから塗布してもよいし、あるいは上下２段の断熱材５，８の間にシート材を介在させる際にこの表面材で接着してもよい。
【００３５】
このように、上下２段の断熱材５，８の間にステンレスメッシュ７等のシート材を介在させておけば、地盤１１から下段の断熱材８に侵入した白アリ６の進行は、このシート材により阻止される。そのため、上段の断熱材５を白アリ６による食害から保護でき、この断熱材５の内部を白アリ６が通過して軸組Ｂや床組Ｃへ侵入するのを防止できるという利点がある。また、布基礎１の内方の盛土２上に土間床３が施工されているので、布基礎１の内方から白アリ６が侵入しにくいという利点がある。
【００３６】
ここで、この実施形態のように、シート材が地盤面１１ａより高い位置にある場合には、上段の断熱材５が地盤１１と接しないので、この上段の断熱材５をより効果的に保護できるという利点がある。
【００３７】
なお、シート材の取付け方としては、この実施形態に限定されるものではなく、例えば図５に示すように２つの縁部７ａ，７ｂが側方へ突出しないように形成しておいてもよいが、好ましくは図６及び図７に示すように、シート材の２つの縁部７ａ，７ｂのいずれか一方を、例えば下段の断熱材８の外側面８ａ又は内側面８ｂに取付けることにより、断熱材８の上面８ｃにおける２つの角部１４ａ，１４ｂのいずれか一方と上面８ｃとを横断面Ｌ字状に、より好ましくは図１及び図２のように、２つの角部１４ａ，１４ｂと上面８ｃとを横断面コ字状に被覆しておくのが望ましい。即ち、前記角部１４ａ，１４ｂにおいては、断熱材８の内部を上面８ｃ付近まで進行した白アリ６がこれら角部１４ａ，１４ｂから上方へ回り込むように進行する可能性があるので、これら角部１４ａ，１４ｂをシート材で被覆しておけば、白アリ６のこの回り込みを防止できるという利点がある。
【００３８】
なお、ステンレスメッシュ７等の縁部７ａ，７ｂは、下段の断熱材８だけに取付ける場合に加え、上段の断熱材５だけに取付けてもよいし、あるいは図８に示すように上下２段の断熱材５，８それぞれに取付けてもよい。
【００３９】
図９に示すように、第２実施形態に係る建物Ａの防蟻構造は、第１実施形態において、前記ステンレスメッシュ７の内方側の縁部７ｂをより長く形成しておき、この縁部７ｂを前記立ち上がり部４に埋設したものである。
【００４０】
このようにして前記縁部７ｂを立ち上がり部４に埋設しておけば、下段の断熱材８と立ち上がり部４との間に隙間が形成されている場合でも、この隙間から上段の断熱材５へ白アリ６が侵入するのを防止できるという利点がある。
【００４１】
なお、この場合も、下段の断熱材８の外側面８ａ側の角部１４ａからの白アリ６の回り込みを防止するためには、この実施形態のように、ステンレスメッシュ７等の外方側の縁部７ａを上下２段の断熱材５，８のいずれか一方の外側面５ａ（８ａ）に取付けておくのが望ましい。
【００４２】
図１０及び図１１に示すように、第３実施形態に係る建物Ａの防蟻構造は、第１実施形態において、より低く形成された上段の断熱材５とより高く形成された下段の断熱材８とが立ち上がり部４の内側面４ｂに密着していると共に、これら上下２段の断熱材５，８の間に介在したステンレスメッシュ７の内方側の縁部７ｂをより長く形成しておき、この縁部７ｂを前記土間床３に埋設したものである。
【００４３】
このようにして前記縁部７ｂを土間床３に埋設しておけば、下段の断熱材８と土間床３との打ち継ぎ部分１５から上段の断熱材５等へ白アリ６が侵入するのを防止できるという利点がある。
【００４４】
ここで、この実施形態のように、シート材が土間床３の下面３ｄより高い位置にある場合には、上段の断熱材５が盛土２や目つぶし砂利１２等と接しないので、この上段の断熱材５をより効果的に保護できるという利点がある。
【００４５】
以上の第１乃至第３実施形態においては、前記断熱材５，８が立ち上がり部４の外側面４ａ又は内側面４ｂのいずれか一方に密着している場合について説明したが、これに限定されるものではなく、図１２に示すように、立ち上がり部４の両側面４ａ，４ｂにそれぞれ密着していてもよい。
【００４６】
この場合も上記と同様、立ち上がり部４の内側面４ｂ側のステンレスメッシュ７等の外方側の縁部７ａを立ち上がり部４に埋設しておいてもよい。
【００４７】
また、布基礎１の内方に設けられた布基礎１０等と土間床３との打ち継ぎ部分１６の上方又は下方には、この打ち継ぎ部分１６からの白アリ６の侵入を防止するために、シート材をこの打ち継ぎ部分１６を閉塞するように取付けておくのが望ましい。
【００４８】
図１３及び図１４に示すように、第４実施形態に係る建物Ａの防蟻構造は、例えば、床下空間を有しない建物Ａの基礎スラブ２０の外側面２０ａに密着した断熱材５の内部を白アリ６が通過して、前記基礎スラブ２０上に設置された軸組Ｂ及び床組Ｃへ侵入するのを物理的に防止するものであって、前記断熱材５の下面５ｄに、前記ステンレスメッシュ７を介して更に断熱材８を取付けると共に、前記ステンレスメッシュ７の２つの縁部７ａ，７ｂを下段の断熱材８の外側面８ａと内側面８ｂにそれぞれ取付けたものである。
【００４９】
前記基礎スラブ２０は、土台２１等が載置される部分が他の部分より厚肉に形成されているが、この基礎スラブ２０の構成としては特に限定されるものではなく、軸組Ｂや床組Ｃを直接設置できる各種の構成のものを採用することができる。また、この基礎スラブ２０の下方の所定範囲には、必要に応じて断熱材を敷設しておいてもよい。
【００５０】
このように、基礎スラブ２０においても布基礎１の場合と同様、上下２段の断熱材５，８の間にステンレスメッシュ７等のシート材を介在させておけば、上段の断熱材５を白アリ６による食害から保護でき、この断熱材５の内部を白アリ６が通過して軸組Ｂや床組Ｃへ侵入するのを防止できるという利点がある。
【００５１】
また、既述と同様、この実施形態においてもステンレスメッシュ７等の内方側の縁部７ｂをより長く形成しておき、この縁部７ｂを前記基礎スラブ２０に埋設しておけば、下段の断熱材８と基礎スラブ２０との間に隙間が形成されていても、この隙間から上段の断熱材５へ白アリ６が侵入するのを防止できるという利点がある。
【００５２】
更に、この実施形態のように、シート材が地盤面１１ａより高い位置にある場合には、上段の断熱材５が地盤１１と接しないので、この上段の断熱材５をより効果的に保護できるという利点がある。
【００５３】
【発明の効果】
以上のように、請求項１及び３の発明によれば、布基礎と土間床とを有する床下空間のない建物において、前記上段の断熱材の下面にシート材を介して更に下段の断熱材を取付けているので、地盤から下段の断熱材に侵入した白アリの進行は、このシート材により阻止される。そのため、上段の断熱材を白アリによる食害から保護でき、この断熱材の内部を白アリが通過して軸組や床組へ侵入するのを防止できるという利点がある。また、布基礎の内方の盛土上に土間床が施工されているので、布基礎の内方から白アリが侵入しにくいという利点がある。
【００５４】
請求項２及び５の発明によれば、前記シート材の外方側又は内方側の縁部を前記立ち上がり部に埋設しているので、下段の断熱材と立ち上がり部との間に隙間が形成されている場合でも、この隙間から上段の断熱材へ白アリが侵入するのを防止できるという利点がある。
【００５５】
請求項４の発明によれば、前記シート材が土間床の下面より高い位置にあるので、上段の断熱材が盛土や目つぶし砂利等と接しない。そのため、この上段の断熱材をより効果的に保護できるという利点がある。
【００５６】
請求項６の発明によれば、前記シート材の内方側の縁部を前記土間床に埋設しているので、下段の断熱材と土間床との打ち継ぎ部分から上段の断熱材等へ白アリが侵入するのを防止できるという利点がある。
【００５７】
請求項７の発明によれば、基礎スラブ上に軸組や床組が設置された床下空間を有しない建物において、前記上段の断熱材の下面にシート材を介して更に下段の断熱材を取付けているので、請求項１及び３の効果と同様、上段の断熱材を白アリによる食害から保護でき、この断熱材の内部を白アリが通過して軸組や床組へ侵入するのを防止できるという利点がある。
【００５８】
請求項８の発明によれば、前記シート材の内方側の縁部を前記基礎スラブに埋設しているので、下段の断熱材と基礎スラブとの間に隙間が形成されていても、この隙間から上段の断熱材へ白アリが侵入するのを防止できるという利点がある。
【００５９】
請求項９の発明によれば、前記シート材が地盤面より高い位置にあるので、上段の断熱材が地盤と接しない。そのため、この上段の断熱材をより効果的に保護できるという利点がある。
【００６０】
請求項１０の発明によれば、前記シート材の２つの縁部の少なくとも一方の縁部を前記上下２段の断熱材のいずれか一方の断熱材の側面に取付けているので、下段の断熱材の上面における角部から上方へ白アリが回り込むのを防止できるという利点がある。
【００６１】
請求項１１の発明によれば、前記シート材が可撓性を有するので、建築現場での賦形等が可能であり、そのためシート材を建築現場で取付ける際の施工が簡単であるという利点がある。
【００６２】
請求項１２の発明によれば、前記シート材が、少なくともいずれかの方向において前記白アリの頭部横断面の最大寸法の２倍以下の寸法である複数のアンカー孔を有するので、上下２段の断熱材の間にシート材を介在させる際や、あるいはいずれか一方の断熱材にあらかじめシート材を接着又は熱溶着等しておく際に、アンカー効果により、シート材を介在させた上下２段の断熱材同士又は断熱材とシート材とをより強固に一体化できるという利点がある。また、アンカー孔の寸法が前記最大寸法の２倍以下で、白アリの頭部が通り抜けないか又は頭部が通り抜けても柔らかい体部等がアンカー孔に接触するような寸法であり、白アリがそれを嫌うので、白アリがシート材を通り抜けるのを阻止することができる。また、アンカー孔の寸法を比較的大きくできるので、シート材の材料コストを低減化できると共に、寸法精度も低くてよいために製造も簡単であるという利点がある。
請求項１３の発明によれば、前記シート材が、少なくともいずれかの方向において前記白アリの頭部横断面の最大寸法の３倍以下の寸法である複数のアンカー孔を有すると共に、このシート材に、少なくともセメントと細骨材とを含有する表面材を塗布しているので、前記細骨材等により白アリの通り抜けを阻止することができる。
【図面の簡単な説明】
【図１】第１実施形態に係る建物の防蟻構造の縦断面図。
【図２】図１の要部拡大縦断面図。
【図３】  (a) は白アリの平面図、(b) は(a) のＹ−Ｙ線断面図。
【図４】ステンレスメッシュの要部拡大平面図。
【図５】２つの縁部が側方へ突出しないように形成したステンレスメッシュを使用した状態を示す要部拡大縦断面図。
【図６】ステンレスメッシュの外方側の縁部を下段の断熱材の外側面に取付けた状態を示す要部拡大縦断面図。
【図７】ステンレスメッシュの内方側の縁部を下段の断熱材の内側面に取付けた状態を示す要部拡大縦断面図。
【図８】ステンレスメッシュの外方側の縁部を上段の断熱材の外側面に取付けると共に、内方側の縁部を下段の断熱材の内側面に取付けた状態を示す要部拡大縦断面図。
【図９】第２実施形態に係る建物の防蟻構造の要部拡大縦断面図。
【図１０】第３実施形態に係る建物の防蟻構造の要部拡大縦断面図。
【図１１】図１０の要部拡大縦断面図。
【図１２】立ち上がり部の両側面に断熱材を密着させた状態を示す要部拡大縦断面図。
【図１３】第４実施形態に係る建物の防蟻構造の縦断面図。
【図１４】図１３の要部拡大縦断面図。
【符号の説明】
Ａ  建物
Ｂ  軸組
Ｃ  床組
１  布基礎
１ｃ  天端面
２  盛土
３  土間床
３ｃ  上面
４  立ち上がり部
４ａ  外側面
４ｂ  内側面
５，８  断熱材
５ａ，８ａ  外側面
５ｂ，８ｂ  内側面
５ｄ  下面
６  白アリ
６ａ  頭部
７  ステンレスメッシュ（シート材）
７ａ，７ｂ  縁部
１３  編み目（アンカー孔）
２０  基礎スラブ
２０ａ  外側面
【図１】
0003721446.tif 000002
【図２】
0003721446.tif 000003
【図３】
0003721446.tif 000004
【図４】
0003721446.tif 000005
【図５】
0003721446.tif 000006
【図６】
0003721446.tif 000007
【図７】
0003721446.tif 000008
【図８】
0003721446.tif 000009
【図９】
0003721446.tif 000010
【図１０】
0003721446.tif 000011
【図１１】
0003721446.tif 000012
【図１２】
0003721446.tif 000013
【図１３】
0003721446.tif 000014
【図１４】
0003721446.tif 000015